(57)【要約】      （修正有）【課題】構成が簡単で多用途に適用できる鋼製土留柵を提供する。【解決手段】土留柵は、土砂を堰き止める複数の透水パネル２０と、透水パネル２０の下端を固定する固定ピン４５と、透水パネル２０の傾倒を防止する控え手段３０とを具備する。控え手段３０の上端は透水パネル２０の上位に設けた連結片２３に連結する。透水パネル２０の下端は、Ｌ字形の延長ステー４６を介して固定ピン４５で位置決めする。固定ピン４５が複数の透水パネル２０の斜面谷側への傾倒を防止して透水パネルを立設する手段を構成する。【選択図】図６
0003174363.tif 000002
【実用新案登録請求の範囲】
【請求項１】
斜面に立設される鋼製土留柵であって、
少なくとも、互いに隣接させた状態で斜面に立設する複数の透水パネルと、
前記透水パネルの下端を固定する固定ピンとを具備し、
前記固定ピンを透水パネルの斜面山側に配置したことを特徴とする、
鋼製土留柵。
【請求項２】
前記複数の透水パネルの斜面谷側への傾倒を防止する控え手段を具備し、前記控え手段を透水パネルの斜面山側に配置することを特徴とする、請求項１に記載の鋼製土留柵。
【請求項３】
延長ステーを介して前記透水パネルの下端を固定ピンで固定したことを特徴とする、請求項１に記載の鋼製土留柵。
【請求項４】
前記透水パネルが矩形を呈する補強枠と、該補強枠の全面に取り付けた透水性を有する堰網とを具備することを特徴とする、請求項１乃至請求項３の何れか一項に記載の鋼製土留柵。
【請求項５】
前記複数の透水パネルの両側の隣接箇所を回動可能に接続したことを特徴とする、請求項１乃至請求項４の何れか一項に記載の鋼製土留柵。
【請求項６】
前記控え手段が山側アンカーと、長さ調整機能付きの引張材とにより構成することを特徴とする、請求項２乃至請求項５の何れか一項に記載の鋼製土留柵。
【請求項７】
前記複数の透水パネルに、透水性を有しつつ、土砂の透過を阻止する付設シートを取り付けたことを特徴とする、請求項１乃至請求項６の何れか一項に記載の鋼製土留柵。
【考案の詳細な説明】
【技術分野】
【０００１】
本考案は谷止柵や一般の土留柵等に適用可能な鋼製土留柵に関するものである。
【背景技術】
【０００２】
山腹に降り注いだ雨水等は表土を徐々に削り取り、山間部等の山腹にみず道を形成する。これを放置するとみず道の底や岸の浸食が増々進んで周囲の土砂崩壊を誘発するだけでなく、浸食によって発生した土砂が土砂流や土石流を引き起こす。
【０００３】
表土の崩落抑止手段のひとつとして丸太製の土留柵が知られている。
図９を参照して説明すると、従来の土留柵は所定の間隔を隔てて斜面６０に柱木６１を打設し、これらの柱木６１の斜面山側に複数の横木６２を積み上げて壁体を構築し、最後に柵の谷側斜面を控木６３で支承して構築している。
その他に丸太を使った土留構造体が特許文献１，２に開示されている。
【先行技術文献】
【特許文献】
【０００４】
【特許文献１】特開２００２−２９４７１３号公報
【特許文献２】特開２００２−７００２４号公報
【考案の概要】
【考案が解決しようとする課題】
【０００５】
直径８〜１０ｃｍ、全長数ｍの多数の丸太材を使用する従来の土留柵にあっては、つぎのような問題点を有する
（１）建機や運搬車両の導入が困難な現場へ重たい丸太を人力で搬入する作業は重労働であり、さらに柱木６１の打込みにも非常に多くの労力を要する。
特に、礫等が存在する地盤に柱木６１を打込む作業は困難を極める。
（２）横木６２が長いため、現場の形状に合わせたカーブ施工が難しい。
（４）柱木６１と控木６３が斜面谷側に露出して見えるため、景観性が損なわれる。
（５）丸太の耐用年数が５〜１０年と短いため、土留柵の更新期間が短い。
（６）壁体を構成する横木６２間の隙間を小さくして土砂の通過を抑えているが、通水性も悪くなって水が溜まり易い。溜まった水は横木６２の下から流下して蓄積土砂の流出だけでなく、柱木６１の根本を洗掘して土留柵の倒壊に至る危険がある。
（７）特許文献１，２に開示された土留構造体は、一般土留や護岸を用途としたものであり、流下する表土の補足機能を有していない。
【０００６】
本考案は以上の点に鑑みて成されたもので、その目的とするところは次の鋼製土留柵を提供することにある。
（１）現場への資材搬入が容易であり、土留柵を簡易に構築できること。
（２）斜面谷側からの景観性を改善できること。
（３）土留柵の耐用年数の大幅延長が可能なこと。
（４）カーブ施工が容易であること
（５）露出面に各種シートを付設して露出面の景観性をよくすること。
（６)表土の流下を防止する谷止柵としてだけでなく、各種土留柵としても適用し得ること。
【課題を解決するための手段】
【０００７】
本考案に係る鋼製土留柵は、斜面に立設される鋼製土留柵であって、少なくとも、互いに隣接させた状態で斜面に立設する複数の透水パネルと、前記透水パネルの下端を固定する固定ピンとを具備し、前記固定ピンを透水パネルの斜面山側に配置する。
本考案に係る鋼製土留柵は、前記複数の透水パネルの斜面谷側への傾倒を防止する控え手段を具備し、前記控え手段を透水パネルの斜面山側に配置する。
本考案に係る鋼製土留柵は、延長ステーを介して前記透水パネルの下端を固定ピンで固定して複数の透水パネルを斜面に立設する。
本考案に係る鋼製土留柵は、前記透水パネルが矩形を呈する補強枠と、該補強枠の全面に取り付けた透水性を有する堰網とを具備する。
本考案に係る鋼製土留柵は、前記複数の透水パネルの両側の隣接箇所を回動可能に接続する。
本考案に係る鋼製土留柵は、前記控え手段が山側アンカーと、長さ調整機能付きの引張材とにより構成する。
本考案に係る鋼製土留柵は、前記複数の透水パネルに、透水性を有しつつ、土砂の透過を阻止する付設シートを取り付けてもよい。
【考案の効果】
【０００８】
本考案は少なくともつぎのひとつの効果を奏する。
（１）鋼製土留柵の構成資材が軽量な透水パネルや固定ピンや控え手段等であるため、丸太製の土留柵と比較して現場への資材搬入が容易となるだけでなく、現場での土留柵の構築作業を著しく軽減できる。
（２）斜面に立設した透水パネルを通じて排水しながら土砂を堰き止め、控え手段を通じて透水パネルの傾倒が阻止されるので、土留柵を谷止柵として適用した場合には大量の土砂を捕捉することができる。
（３）固定ピンや控え手段が透水パネルの裏に隠れて見えなくなるので、斜面谷側から土留柵を見たときの景観性がよい。
（４）斜面が硬質地盤であるときは、斜面に打設した固定ピンを通じて簡易に透水パネルを立設することができる。
（５）土留柵の資材を鋼製で構成するため、丸太製と比較して耐用年数を大幅に延長できる。
（６）透水パネルの両側の隣接箇所が回動可能であるため、現場に応じたカーブ施工がし易くなる。
（７）透水パネルに植生シートや防草シートを付設することで、露出した透水パネル全面を植生したり防草したりできて景観性がよくなる。
（８)表土の流下を防止する谷止柵としてだけでなく、各種土留柵としても適用できて多用途に用いることができる。
【図面の簡単な説明】
【０００９】
【図１】土留柵の全体斜視図
【図２】土留柵の断面図
【図３】透明パネルを傾斜して取り付けた取付け部の部分拡大図
【図４】透明パネルを傾斜して取り付けた取付け部の部分拡大図
【図５】土留柵の部分断面図
【図６】本考案の実施例に係る土留柵の断面図
【図７】図６の土留柵の下部の部分拡大図
【図８】本考案の土留柵の適用例を説明するためのモデル図
【図９】従来の丸太製の土留柵のモデル図
【考案を実施するための形態】
【００１０】
図１〜４を参照しながら鋼製土留柵（以下「土留柵」という）について説明する。
【００１１】
＜１＞全体の構成
図１，２に示すように土留柵は、少なくとも斜面５０に立設した複数の透水パネル２０と、透水パネル２０の傾倒を防止する控え手段３０とを具備する。
本例では所定の間隔を隔てて立設する単管支柱１０を介して透水パネル２０を立設する場合について説明する。
土留柵を構成する単管支柱１０、透水パネル２０及び控え手段３０のそれぞれにメッキ処理を施すことで、土留柵の耐久性が格段に向上する。
【００１２】
＜２＞単管支柱
複数の透水パネル２０の斜面谷側への傾倒を防止して透水パネルを立設する手段である単管支柱１０は、足場パイプ等に用いられる公知の鋼製の単管パイプで、その下端に錐体１１を設けて先鋭に形成してある。
単管パイプを支柱に用いたのは、丸太と比較して鋼製であるため耐用年数が二倍以上（２０年以上）であること、径が一定で地盤への貫入抵抗が小さいこと、軽量で運搬や取扱いに便利であること、さらに現場で適宜切断して長さ調整が容易であるためである。
【００１３】
＜２.１＞連結リブ
単管支柱１０には、透水パネル２０と控え手段３０にそれぞれ連結して接続するための連結リブが突設してある。
本例では単管支柱１０に外装可能な連結金物４０，４１，４２を使用した形態について説明する。
【００１４】
＜２．２＞連結金物
連結金物４０は透水パネル２０と控え手段３０と連結するためのふたつの連結リブを有し、連結金物４１は上下に位置する透水パネル２０，２０の間に跨って連結するためのひとつの連結リブを有し、連結金物４２は透水パネル２０と連結するためのひとつの連結リブを有する。
これらの連結金物４０，４１，４２は例示であり、ボルトを介してこれらの部材間を連結できる金物であれば図示した形態に限定されるものではない。
また連結金物４０，４１，４２を用いずに、上記した複数の連結リブを単管支柱１０の外周面に溶接して直接突設してもよい。
【００１５】
＜３＞透水パネル
透水パネル２０は縦横方向へ向けて並列させることで堰板を形成するための鋼製のパネル材であり、矩形を呈する補強枠２１と、補強枠２１の全面に取り付けた透水性を有する堰網２２とを具備する。
透水パネル２０は横一列（一段）に配列することの他に、多段に積み上げることが可能であり、透水パネル２０のサイズは、運搬性と取扱性等を考慮して適宜選択する。
尚、「透水性」とは、難透水性を含む概念である。
【００１６】
＜３．１＞補強枠
補強枠２１は堰網２２に強度を付与するための補強部材で、アングル材等を溶接して矩形に形成する。
透水パネル２０が大形となるときは、縦横方向に向けて補強材を付設するとよい。
補強枠２１の両側には背面へ向けて連結片２３が突設してある。
各連結片２３は単数又は複数のボルト穴を有していて、連結片２３を介して単管支柱１０へ連結可能である。
【００１７】
＜３．２＞堰網
堰網２２は土砂の透過を阻止できる網目の細かい網状物で、例えばエキスパンドメタル、溶接金網等を使用でき、補強枠２１の周縁に溶接等により固着する。
【００１８】
＜３．３＞付設シート
堰網２２の山側に透水性の付設シートを併用する場合には、堰網２２の網目は土粒子のサイズより多少大きくともよい。
付設シートとしては、用途に応じて植生シート、防草シート、透水シート等を適用できる。
植生シートを付設することで、透水パネル２０の全面を植生でき、また防草シートを付設することで草の発芽を防ぐことができる。付設するシート状物は使途に応じて適宜選択する。
【００１９】
＜４＞控え手段
控え手段３０は堰板を斜面山側に反力を得て支持するための控え材で、山側アンカー３１と、長さ調整機能付きの引張材３２とで構成する。
【００２０】
＜４．１＞山側アンカー
山側アンカー３１は公知のロックボルトやアースアンカーでもよいが、図示するような羽根板３３と、該羽根板３３に挿入可能なアンカーピン３４で構成すると、羽根板３３付きのアンカーピン３４を打ち込むだけの作業で以て大きなアンカー耐力を得ることができる。
【００２１】
＜４．２＞引張材
引張材３２には例えば鋼棒の両端に掛止用のフックを形成したものを使用できるが、張力を伝達可能であれば素材や両端部の掛止構造に特に制約はない。
本例では長さ調整手段として公知のターンバックル３５を使用する場合について示すが、公知の全ネジボルトであってもよい。
【００２２】
つぎに図１，２を参照しながら土留柵の構築方法について説明する。
【００２３】
＜１＞資材の現場搬入
土留柵を構成する単管支柱１０と透水パネル２０と控え手段３０とを現場へ搬入する。
土留柵を構成する上記した資材はすべて軽量であるから現場への搬入が容易である。
【００２４】
＜２＞単管支柱の立設
透水パネル２０のスパン距離を隔てて複数の単管支柱１０を斜面５０の傾斜方向と直交する方向に沿って打設する。
単管支柱１０は先端を精鋭であるから直接打ち込みが可能であり、事前の穿孔作業や圧入機械の導入が不要である。
特に斜面５０が硬質であっても、ハンマ等を使用して作業員の人力で以て簡易に打ち込みが可能である。
【００２５】
＜３＞透水パネルの取付け
隣り合う各単管支柱１０の間に複数の透水パネル２０を取り付ける。
すべての透水パネル２０は単管支柱１０に対して斜面谷側に配置して、透水パネル２０で以て単管支柱１０を隠蔽する。
透水パネル２０の設置形態については、現場の状況に応じて横一列（一段）に配列したり、上下方向へ向けて多段に積み上げたりして設置する。
隣り合う左右の透水パネル２０の隣接部はボルト、ナットを介して単管支柱１０の各連結金物４０，４１，４２に連結して固定する。
【００２６】
必要に応じて、透水パネル２０の斜面山側の面に、植生シート、防草シート、透水シート等の透水性を有し、土砂の透過を阻止する付設シートを取り付けておくと、単に土砂を捕捉するだけでなく、透水パネル２０の前面を緑化したり、防草したりすることができる。
斜面５０の起伏や傾斜等に対処するために、透水パネル２０の連結片２３と各連結金物４０，４１，４２に開設するボルト穴を、長穴やバカ穴に形成しておくとよい。
【００２７】
最下位に位置する透水パネル２０の下面と斜面５０の間は、根固め土砂５１等で隙間を封鎖しておくと、捕捉した土砂の流出防止と斜面の洗掘防止効果が高くなる。
【００２８】
隣り合う透水パネル２０を直線的に配置することは勿論であるが、現場がカーブしているときは、図３，４に示すように隣り合う各透水パネル２０，２０の連結片２３，２３を単管支柱１０側から延びる連結金物４０,４１，４２の連結リブ４３と直交する線に対して任意の角度で傾斜させて取り付ける。
図３は単管支柱１０の設置箇所で隣り合う透水パネル２０，２０を外向きに傾斜させた場合を示し、図４は単管支柱１０の設置箇所で隣り合う透水パネル２０，２０を内向きに傾斜させた場合を示す。
この場合、各透水パネル２０，２０の傾斜角度に応じて連結用のボルト４７とナット４８の締結距離を適宜調節して対処する。
要は透水パネル２０，２０の両側の隣接箇所が鉛直軸を中心に回動可能に接続してあればよい。
【００２９】
本例では単管支柱１０の箇所で隣り合う透水パネル２０，２０の角度を任意に調整できるので、現場の形状に応じたカーブ施工が容易に行える。
【００３０】
＜４＞控え手段の取付け
アンカーピン３４と単管支柱１０に付設した最上位の連結金物４０との間にターンバックル３５を介在して引張材３２を架け渡して、山側アンカー３１と単管支柱１０の頭部の間に控え手段３０を張設する。
単管支柱１０の全高が高い場合は、単管支柱１０の中間部に控え手段３０を追加して設ける。
このようにして構築した土留柵においては、すべての単管支柱１０及び控え手段３０が透水パネル２０に対して斜面山側に位置するので、斜面谷側から土留柵を見たときに単管支柱１０及び控え手段３０が透水パネル２０の裏に隠れて見えず、整然と配列した複数の透水パネル２０のみが見えることになる。
【００３１】
＜５＞土砂の捕捉作用
図２において、土留柵は斜面山側に設置した控え手段３０で支持されていて、透水パネル２０の斜面山側が開放されている。
土留柵の斜面山側から雨水等とともに表土が流下すると、水５２のみが透水パネル２０を透過して斜面谷側へ流下し、土砂５３のみが透水パネル２０に堰き止められて捕捉される。
捕捉した土砂５３は透水パネル２０の斜面山側に順次堆積する。
捕捉した土砂５３の自重は控え手段３０で支持されて、土留柵の斜面谷側への傾倒が阻止される。
特に、山側アンカー３１が羽根板３３を具備することから、アンカーピン３４の全長が短くとも大きなアンカー耐力を得ることができる。
さらに山側アンカー３１が堆積土砂に埋設されることで、山側アンカー３１のタンカー耐力がさらに大きくなる。
【００３２】
本例では、土留柵の背面側に土砂５３が蓄積されていくが、この間、透水パネル２０の全面を通じて水５２のみを効率よく排水できるので、単管支柱１０の根本の洗掘を回避することができる。
アンカーピン３４と単管支柱１０に付設した最上位の連結金物４０との間にターンバックル３５を介在して引張材３２を架け渡して、山側アンカー３１と単管支柱１０の頭部の間に控え手段３０を張設する。
【００３３】
[他の変形例]
【００３４】
図５〜７を参照しながら、硬質の地盤５０に土留柵を立設する他の変形例について説明する。
【００３５】
図５は単管支柱１０の最下部にピン孔４４ａ付きの連結金物４４を取り付け、該ピン孔４４ａに固定ピン４５を打設することで、単管支柱１０の下部を斜面５０に固定した形態を示す。
本例では、単管支柱１０および固定ピン４５が複数の透水パネル２０の斜面谷側への傾倒を防止して透水パネルを立設する手段を構成する。
本例にあっては、地中に打設した固定ピン４５を介して単管支柱１０の位置決めが可能であるため、硬質の地盤５０に単管支柱１０の下部を打ち込むことが困難な現場に有効である。
【００３６】
[実施例]
以降に実施例について説明するが、その説明に際し、前記した実施例と同一の部位は同一の符号を付してその詳しい説明を省略する。
図６，７は単管支柱１０を省略した土留柵の実施例を示す。
本例に係る土留柵は、土砂を堰き止める複数の透水パネル２０と、透水パネル２０の下端を固定する固定ピン４５と、透水パネル２０の傾倒を防止する控え手段３０とを具備する。
控え手段３０の上端は透水パネル２０の上位に設けた連結片２３に連結する。
透水パネル２０の下端は、Ｌ字形の延長ステー４６を介して固定ピン４５で位置決めする。
本例では、固定ピン４５が複数の透水パネル２０の斜面谷側への傾倒を防止して透水パネルを立設する手段を構成する。
【００３７】
図７を参照して説明すると、延長ステー４６は連結片２３と連結する鉛直片４６ａと、該鉛直片４６ａの下端に固着した水平片４６ｂとからなり、水平片４６ｂの板面にはピン穴４６ｃを有している。
延長ステー４５の鉛直片４６ａは、ボルト４７、ナットを介して連結片２３と連結し、水平片４６ｂのピン穴４６ｃに固定ピン４５を打設することで、透水パネル２０の下端の位置決めが可能である。
本例にあっては、単管支柱１０を省略して土留柵の構成部品点数を削減できるので、資材コストと施工コストの大幅削減が可能である。
【００３８】
[他の実施例１]
以上は透水パネル２０の傾倒を防止する手段として控え手段３０を用いた場合について説明したが、控え手段３０を省略してもよい。
本例にあっては、控え手段３０を併用した場合と比べて資材コスト及び施工コストの削減が可能である。
【００３９】
[他の実施例２]
以上の実施例は連結片２３を介して透水パネル２０を控え手段３０と連結した形態について説明したが、連結片２３を省略し、透水パネル２０を構成する補強枠２１に開設した連結孔(図示省略)を通じて連結するようにしてもよい。
本例にあっては、連結片２３を省略することで透水パネル２０の低コスト化が図れるとともに、突出物がなくなるので透水パネル２０の取扱性を改善することができる。
【００４０】
[他の実施例３]
本考案は表土の流下を防止する谷止柵としてだけでなく、各種土留柵としても適用することができる。
図８に本考案の適用例を示す。
図８（Ａ）は、小崩壊した法面に適用した例を示したもので、土留柵は透水性を有する待受け土留柵と、或いは盛土した土留柵との組み合わせを示す。
図８（Ｂ）は、公園、農地、ゴルフ場、山道等に適用した一般的な土留擁壁に適用した例で、壁面に緑化シートまたは防草シートが付設してある。
図８（Ｃ）は、複数の土留柵を階段状に形成して斜面の安定と緑化を図る法面保護に適用した例を示す。
図８（Ｄ）は、道路等の法肩部の補強に適用した例を示す。
図８（Ｅ）は、既設の石積み擁壁の天端位置に土留柵として適用した例を示したもので、土留柵が斜面上流から流下する土砂を捕捉して石積み擁壁の安定性を確保する。
本考案に係る土留柵は上記した用途に限定されず、多用途に適用することが可能である。
【符号の説明】
【００４１】
１０・・・・・単管支柱
２０・・・・・透水パネル
２１・・・・・補強枠
２２・・・・・堰網
３０・・・・・控え手段
３１・・・・・山側アンカー
４０〜４４・・連結金物
５０・・・・・斜面
５３・・・・・捕捉した土砂
【図１】
0003174363.tif 000003
【図２】
0003174363.tif 000004
【図３】
0003174363.tif 000005
【図４】
0003174363.tif 000006
【図５】
0003174363.tif 000007
【図６】
0003174363.tif 000008
【図７】
0003174363.tif 000009
【図８】
0003174363.tif 000010
【図９】
0003174363.tif 000011